(57)【特許請求の範囲】
【請求項１】
所定震度以上の強い地震等が発生した場合に電力の供給を自動的に遮断する防災用電力遮断装置であって、ケースと、このケース内略中央に固定されると共に、その筒心方向が鉛直線に対して平行となるように配される筒体と、この筒体の上端周縁部分を利用して設けた座部に載置される球体と、筒体を囲繞すると共に、筒心方向に摺動自在となるよう筒体に装着されるリセットカップと、このリセットカップが筒体下方に常時位置するよう弾発力を付勢させるリセットスプリングと、このリセットスプリングの弾発力に抗してリセットカップを筒体上方に押上げ可能なリセットレバーと、上下方向に摺動自在となるよう筒体内に配置される摺動体と、この摺動体によって電力供給回路を開閉するスイッチとを備え、球体が筒体の座部に載置状態にあるときは、球体が摺動体を介してスイッチをＯＮとし、球体が筒体の座部に載置状態にないときは、スイッチがＯＦＦとなるように構成し、リセットカップの底部は、外周より中心がわが低くなるような傾斜状に形成され、リセットレバーの押圧操作で、リセットカップの底部が筒体の上端縁を越えるように上昇したときに、球体が筒体の座部に自動的に収まるように構成したことを特徴とする防災用電力遮断装置。
【請求項２】
リセットカップの底部に複数の傾斜リブを放射方向に適宜間隔で配したことを特徴とする請求項１記載の防災用電力遮断装置。
【発明の詳細な説明】
【０００１】
【発明の属する技術分野】
本発明は、主に、所定震度以上の強い地震（或いは、ガス爆発、その他災害）等が発生した場合に電力の供給を速やかに遮断でき、しかも、遮断後に、その安全が確認されてから、この遮断状態をワンタッチで解除（リセット）できるようにした防災用電力遮断装置に関するものである。
【０００２】
【従来の技術】
従来、この種の防災用電力遮断装置としては、例えば、特開平９−２８４９８６号公報に記載されているような感震装置および自動通報装置がある。これは、所定レベル以上の振動を感知する鋼球式の振動センサと、この振動センサの検知出力に基づいて作動するキープリレーと、このキープリレーによって一次側のコンセント端子から二次側のコンセント端子への電路を遮断するパワーリレーとを備え、所定レベル以上の地震の発生時には、電路を遮断して負荷への通電を停止し、キープリレーによってその遮断状態を保持するようにしたものである。
【０００３】
【発明が解決しようとする課題】
そして、前述の如き発明の鋼球式の振動センサに於いては、感震装置のケース内に突設したような鋼球受けに鋼球を載置させたとき、鋼球の三つ側面はケースで囲繞されるようになっている。すなわち、鋼球は作動レバーの上に確実に落下するように形成してあると共に、鋼球をリセットする際に、ケースが案内壁となって鋼球受けに確実に載置されるように配慮してあるためである。ところが、鋼球は作動レバーがわにしか落下できないため、感震装置の取付向きと、地震の発生位置（発生向き）との関係によっては、同じ震度の地震が発生したとしても、鋼球が落下したり、落下しなかったりする虞れがあった。
【０００４】
【課題を解決するための手段】
そこで、本発明は、前述の如き難点等を解消すると共に、精度が高く、信頼性が高く、リセットが容易で、取扱い易く、しかも、構成が簡素で、耐久性に優れ、比較的低廉に防災用電力遮断装置を提供できるようにすべく創出されたもので、請求項１記載の防災用電力遮断装置Ａにあっては、所定震度以上の強い地震等が発生した場合に電力の供給を自動的に遮断する防災用電力遮断装置であって、ケース１と、このケース１内略中央に固定されると共に、その筒心方向が鉛直線に対して平行となるように配される筒体２と、この筒体２の上端周縁部分を利用して設けた座部３に載置される球体４と、筒体２を囲繞すると共に、筒心方向に摺動自在となるよう筒体２に装着されるリセットカップ５と、このリセットカップ５が筒体２下方に常時位置するよう弾発力を付勢させるリセットスプリング８と、このリセットスプリング８の弾発力に抗してリセットカップ５を筒体２上方に押上げ可能なリセットレバー１０と、上下方向に摺動自在となるよう筒体２内に配置される摺動体１５と、この摺動体１５によって電力供給回路を開閉するスイッチ１６とを備え、球体４が筒体２の座部３に載置状態にあるときは、球体４が摺動体１５を介してスイッチ１６をＯＮとし、球体４が筒体２の座部３に載置状態にないときは、スイッチ１６がＯＦＦとなるように構成し、リセットカップ５の底部は、外周より中心がわが低くなるような傾斜状に形成され、リセットレバー１０の押圧操作で、リセットカップ５の底部が筒体２の上端縁を越えるように上昇したときに、球体４が筒体２の座部３に自動的に収まるように構成する手段を採用した。
【０００５】
また、請求項２記載の防災用電力遮断装置Ａにあっては、リセットカップ５の底部に複数の傾斜リブ６を放射方向に適宜間隔で配する手段を採用した。
【０００６】
【発明の実施の形態】
以下、本発明を図示例に基づいて説明すると、次の通りである。
図中Ａは、主に、配電盤に設けられているブレーカー２０（例えば、ノントリップブレーカー）の近傍に設置（配電盤、或いは、それ以外の部分に設置）される本発明の防災用電力遮断装置を示し、この防災用電力遮断装置Ａは、所定震度（例えば、震度４、震度５等）以上の強い地震（或いは、ガス爆発、その他災害）等が発生した場合に、ブレーカー２０への（或いは、ブレーカー２０からの）電力の供給を自動的に遮断して、地震等の災害による二次災害等を確実に防止すると共に、その被害の軽減を図り、しかも、電力供給の遮断後に、その安全が確認された場合に、この遮断状態をワンタッチで解除（リセット）できるようにしたものである。
【０００７】
そして、防災用電力遮断装置Ａは、防塵、防滴効果を発揮できるように構成された金属製、或いは、合成樹脂製、或いは、これらの複合材等によって構成される密閉タイプのケース１と、このケース１内略中央に固定されると共に、その筒心方向が鉛直線に対して平行となるように配される略円筒状の筒体２と、この筒体２の上端周縁部分を切設する等して形成される座部３に安定的に且つバランス良く載置される球形の球体４と、筒体２を囲繞すると共に、筒心方向に摺動自在となるよう筒体２に装着されるリセットカップ５と、このリセットカップ５が筒体２下方に常時位置するよう弾発力を付勢させるコイルスプリング状のリセットスプリング８と、リセットカップ５下方に配されると共に、軸ピン１２を介して上下方向に揺動自在に装着され、操作片１１の押下げ操作によってリセットスプリング８の弾発力に抗してリセットカップ５を筒体２上方に押上げ可能なリセットレバー１０と、上下方向に摺動自在となるよう筒体２内に配置される摺動体１５と、この摺動体１５によって電力供給回路を開閉するスイッチ１６とを備えたものである。
【０００８】
更に、防災用電力遮断装置Ａは、球体４が筒体２の座部３に載置状態にあるときは、球体４が摺動体１５を下方に押圧し、この摺動体１５がスイッチ片１７を下方に押圧してスイッチ１６をＯＮとするように構成してある。一方、球体４が筒体２の座部３に載置状態にないときは（球体４が座部３から落下したときは）、スイッチ１６のスイッチ片１７が摺動体１５を押上げて、スイッチ１６がＯＦＦとなるように構成してある。
【０００９】
また、本発明の防災用電力遮断装置Ａは、リセットカップ５の底部は、外周より中心がわが低くなるような傾斜状に形成され、リセットレバー１０の押圧操作で、リセットカップ５の底部が筒体２の上端縁を越えるように上昇したときに、球体４が筒体２の座部３に自動的に収まるように構成してある。ところで、リセットカップ５の底部には、複数の略三角板状の傾斜リブ６が放射方向に適宜間隔で配してあり、リセットカップ５に落下した球体４が、傾斜リブ６によって、筒体２寄りに確実に移動すると共に、落下したときの惰性で筒体２の周りを移動するのを阻止できるよう構成してある。
【００１０】
ケース１は、配電盤や、適宜壁面や、その他の部分に、容易に且つ安定的に装着できるように構成され、特に、天井面等の上水平面部分や、壁面等の垂直面部分や、床面等の下水平面部分に正確に且つ確実に取付けられるものが好ましい。また、ケース１は、配電盤や、或いは、ブレーカー２０等と一体的に設けられたものとし、そのコンパクト化が図れるようにすることも構わない。
【００１１】
筒体２は、金属製、或いは、合成樹脂製、或いは、これらの複合材等によって比較的厚肉な円筒状に構成され、その上端面部分を略球面状に切設することで、球体４が安定的に載置できる座部３が構成されている。
【００１２】
球体４は、金属製（例えば、ステンレス製）、或いは、合成樹脂製、或いは、これらの複合材等によって比較的重量のある中実球状に形成されている。尚、球体４が座部３から落下する際の所定震度の設定は、球体４の直径、重量、座部３の形状、寸法、筒体２の寸法等の変更によって設定されるものである。
【００１３】
リセットカップ５は、金属製、或いは、合成樹脂製、或いは、これらの複合材等によって構成され、筒体２に外装される短円筒状の筒状部分と、この筒状部分上端部に連設される略円環板状の底板部と、この底板部外周縁に連設される短円筒状の側周部と、この側周部上端の開放部分を閉塞する蓋体７と、底板部に放射方向に適宜間隔で配される複数の傾斜リブ６とを備えている。
【００１４】
リセットスプリング８は、ケース１とリセットカップ５の蓋体７との間に縮装され、リセットカップ５を常時押下げられるように形成してある。尚、リセットスプリング８は、リセットカップ５を引き下げるようなものであっても良い。
【００１５】
リセットレバー１０は、金属製、或いは、合成樹脂製、或いは、これらの複合材等によって構成され、その操作片１１が、例えば、ケース１正面中央部分に露出しており、これを手指によって容易に押下げることによって、軸ピン１２を支点としてリセットレバー１０全体が揺動して、リセットカップ５を上方に押上げられるように形成されている。尚、リセットレバー１０は、筒体２を囲繞するように構成され、しかも、リセットカップ５をバランス良く押上げられるように構成してある。
【００１６】
摺動体１５は、金属製、或いは、合成樹脂製、或いは、これらの複合材等によって構成され、その上端部は、略円錐状に形成され、その下端部は、平坦状に形成されている。尚、摺動体１５の上端部は、球体４が密接するような球面状でも良いし、その他の形状でも良い。
【００１７】
スイッチ１６は、例えば、マイクロスイッチやリミットスイッチ等が利用され、そのスイッチ片１７によって、摺動体１５を押上げられるように形成してある。尚、スイッチ１６に、非常灯用の回路を接続しておき、電力供給の遮断と同時に、非常灯が点灯するように構成した場合は、二次災害等をより確実に防止できるようになると共に、その被害をより軽減できるものとなる。このとき、スイッチ１６は、複数のスイッチ部分を備えたものを利用しても良いし、二つのスイッチ１６を摺動体１５下方に並設するようにしても良い。
【００１８】
ところで、防災用電力遮断装置Ａの具体的構成、形状、寸法、配設位置、ケース１の具体的構成、形状、寸法、材質、筒体２の具体的構成、形状、寸法、材質、配設位置、座部３の具体的構成、形状、寸法、球体４の具体的構成、形状、寸法、材質、リセットカップ５の具体的構成、形状、寸法、材質、傾斜リブ６の具体的形状、寸法、配設位置、数、蓋体７の具体的構成、形状、寸法、材質、リセットスプリング８の具体的構成、形状、寸法、配設位置、材質、リセットレバー１０の具体的構成、形状、寸法、材質、操作片１１の具体的形状、寸法、軸ピン１２の具体的形状、寸法、材質、摺動体１５の具体的構成、形状、寸法、材質、スイッチ１６の具体的構成、形状、寸法、配設位置、スイッチ片１７の具体的構成、形状、寸法等は、図示例のもの等に限定されることなく適宜自由に設定できるものである。
【００１９】
本発明の防災用電力遮断装置Ａは、前述の如く構成されているが、この防災用電力遮断装置Ａは、例えば、大型機械類等に設けて、これらが異常震動を発生した場合に、これを感知して、速やかにその運転を停止し、事故等を未然に防ぐような使い方をすることもできるものである。
【００２０】
【発明の効果】
従って、請求項１記載の防災用電力遮断装置Ａは、所定震度以上の強い地震等が発生した場合に電力の供給を自動的に遮断する防災用電力遮断装置であって、ケース１と、このケース１内略中央に固定されると共に、その筒心方向が鉛直線に対して平行となるように配される筒体２と、この筒体２の上端周縁部分を利用して設けた座部３に載置される球体４と、筒体２を囲繞すると共に、筒心方向に摺動自在となるよう筒体２に装着されるリセットカップ５と、このリセットカップ５が筒体２下方に常時位置するよう弾発力を付勢させるリセットスプリング８と、このリセットスプリング８の弾発力に抗してリセットカップ５を筒体２上方に押上げ可能なリセットレバー１０と、上下方向に摺動自在となるよう筒体２内に配置される摺動体１５と、この摺動体１５によって電力供給回路を開閉するスイッチ１６とを備え、球体４が筒体２の座部３に載置状態にあるときは、球体４が摺動体１５を介してスイッチ１６をＯＮとし、球体４が筒体２の座部３に載置状態にないときは、スイッチ１６がＯＦＦとなるように構成し、リセットカップ５の底部は、外周より中心がわが低くなるような傾斜状に形成され、リセットレバー１０の押圧操作で、リセットカップ５の底部が筒体２の上端縁を越えるように上昇したときに、球体４が筒体２の座部３に自動的に収まるように構成したので、所定震度以上の強い地震（或いは、ガス爆発、その他災害）等が発生した場合に、筒体２の座部３に載置されている球体４が落下し、ＯＮ状態にあったスイッチ１６がＯＦＦとなって、電力の供給を速やかに遮断するようになり、二次災害等を確実に防止できるようになり、地震等による被害を軽減できる防災用電力遮断装置Ａとなる。また、ケース１によって防災用電力遮断装置Ａ自体の防塵、防滴効果が期待でき、しかも、構成が簡素で、取扱いが容易で、耐久性に優れ、比較的低廉に提供できるようになる。
【００２１】
特に、ケース１内略中央に固定されると共に、その筒心方向が鉛直線に対して平行となるように配される筒体２と、この筒体２の上端周縁部分を利用して設けた座部３に載置される球体４と、筒体２を囲繞すると共に、筒心方向に摺動自在となるよう筒体２に装着されるリセットカップ５と、リセットスプリング８の弾発力に抗してリセットカップ５を筒体２上方に押上げ可能なリセットレバー１０とを備えているので、座部３に載置されている球体４は、３６０度どの向きにも落下できるようになり、防災用電力遮断装置Ａの取付向きや地震の発生位置（発生向き）等に関係なく、所定震度以上の地震が発生すると、座部３から落下するようになり、精度が高く、信頼性が高い防災用電力遮断装置Ａを提供できるようになる。
【００２２】
加えて、リセットカップ５の底部は、外周より中心がわが低くなるような傾斜状に形成され、リセットレバー１０の押圧操作で、リセットカップ５の底部が筒体２の上端縁を越えるように上昇したときに、球体４が筒体２の座部３に自動的に収まるように構成したので、リセットレバー１０を押圧するだけの簡単なワンタッチ操作だけで、電力供給の遮断状態を確実に且つ迅速に解除（リセット）できるようになる。すなわち、筒体２の座部３から落下した球体４は、リセットカップ５で確実に受けられると共に、リセットカップ５のどの位置に落下しても筒体２寄りに移動し、リセットカップ５の上昇によって、筒体２の座部３に確実に収まるものとなる。
【００２３】
また、請求項２記載の防災用電力遮断装置Ａは、リセットカップ５の底部に複数の傾斜リブ６を放射方向に適宜間隔で配したので、リセットカップ５に落下した球体４は、傾斜リブ６によって、筒体２寄りに確実に移動するようになると共に、落下したときの惰性で筒体２周りを移動するのを確実に阻止できるようになり、球体４を筒体２の座部３に迅速に収めることができるようになる。
【図面の簡単な説明】
【図１】本発明の防災用電力遮断装置の装着例を示す斜視図である。
【図２】本発明の防災用電力遮断装置を例示する縦断側面図である。
【図３】本発明の防災用電力遮断装置を例示する縦断側面図である。
【図４】本発明の防災用電力遮断装置を例示する一部省略斜視図である。
【符号の説明】
Ａ      防災用電力遮断装置
１      ケース                        ２      筒体
３      座部                          ４      球体
５      リセットカップ                ６      傾斜リブ
７      蓋体                          ８      リセットスプリング
１０    リセットレバー                １１    操作片
１２    軸ピン
１５    摺動体
１６    スイッチ                      １７    スイッチ片
２０    ブレーカー
【図１】
0003787738.tif 000002
【図２】
0003787738.tif 000003
【図３】
0003787738.tif 000004
【図４】
0003787738.tif 000005